(57)【要約】【課題】ダウンロードしてキャッシュしておいた地図データについて、ファイルサイズが一定量に達し、削除する必要が生じた際に、予め登録しておいた自宅、勤務先、駐車場等の指定地点からの距離を算出し、例えば指定地点から最も遠い地図データから順番に削除することができるナビゲーションシステム、ナビゲーション装置、および、保存データ削除方法を提供することを課題とする。【解決手段】本発明は、指定された地点を指定地点として設定し、記憶部に記憶された地図データと、設定された指定地点と、の距離を算出し、当該距離に基づいて地図データを記憶部から削除する。【選択図】図１
2011085555.tif 000002
【特許請求の範囲】
【請求項１】
少なくとも地図データを送信するナビゲーションサーバ、および、制御部と記憶部とを少なくとも備えたナビゲーション装置、を通信可能に接続したナビゲーションシステムであって、
上記ナビゲーション装置の上記記憶部は、
上記ナビゲーションサーバから受信した上記地図データを記憶する地図データ記憶手段、
を備え、
上記ナビゲーション装置の上記制御部は、
指定地点を設定する指定地点設定手段と、
上記地図データ記憶手段に記憶された上記地図データと、上記指定地点設定手段により設定された上記指定地点と、の距離を算出し、当該距離に基づいて上記地図データを上記地図データ記憶手段から削除する削除手段と、
を備えたことを特徴とする、ナビゲーションシステム。
【請求項２】
請求項１に記載のナビゲーションシステムにおいて、
上記ナビゲーション装置の上記地図データ記憶手段は、更に、
上記地図データ毎の格納履歴を記憶し、
上記ナビゲーション装置の上記削除手段は、
上記地図データ記憶手段に記憶された上記格納履歴を参照して所定期間に上記地図データ記憶手段に格納された上記地図データを選択し、当該選択された上記地図データと、上記指定地点と、の距離を算出し、当該距離に基づいて上記地図データを上記地図データ記憶手段から削除することを特徴とする、ナビゲーションシステム。
【請求項３】
請求項１または２に記載のナビゲーションシステムにおいて、
上記ナビゲーション装置の上記削除手段は、
上記距離が最長となる上記地図データを上記地図データ記憶手段から削除することを特徴とする、ナビゲーションシステム。
【請求項４】
請求項１から３のいずれか一つに記載のナビゲーションシステムにおいて、
上記指定地点は、
利用者の自宅、勤務先、または、駐車場を示す地点であることを特徴とする、ナビゲーションシステム。
【請求項５】
少なくとも地図データを送信するナビゲーションサーバに通信可能に接続された、制御部と記憶部とを少なくとも備えたナビゲーション装置であって、
上記記憶部は、
上記ナビゲーションサーバから受信した上記地図データを記憶する地図データ記憶手段、
を備え、
上記制御部は、
指定地点を設定する指定地点設定手段と、
上記地図データ記憶手段に記憶された上記地図データと、上記指定地点設定手段により設定された上記指定地点と、の距離を算出し、当該距離に基づいて上記地図データを上記地図データ記憶手段から削除する削除手段と、
を備えたことを特徴とする、ナビゲーション装置。
【請求項６】
少なくとも地図データを送信するナビゲーションサーバ、および、制御部と記憶部とを少なくとも備えたナビゲーション装置、を通信可能に接続したナビゲーションシステムにおいて実行される保存データ削除方法であって、
上記ナビゲーション装置の上記記憶部は、
上記ナビゲーションサーバから受信した上記地図データを記憶する地図データ記憶手段、
を備え、
上記ナビゲーション装置の上記制御部において実行される、指定地点を設定する指定地点設定ステップと、
上記ナビゲーション装置の上記制御部において実行される、上記地図データ記憶手段に記憶された上記地図データと、上記指定地点設定ステップにて設定された上記指定地点と、の距離を算出し、当該距離に基づいて上記地図データを上記地図データ記憶手段から削除する削除ステップと、
を含むことを特徴とする、保存データ削除方法。
【請求項７】
少なくとも地図データを送信するナビゲーションサーバに通信可能に接続された、制御部と記憶部とを少なくとも備えたナビゲーション装置において実行される保存データ削除方法であって、
上記記憶部は、
上記ナビゲーションサーバから受信した上記地図データを記憶する地図データ記憶手段、
を備え、
上記制御部において実行される、
指定地点を設定する指定地点設定ステップと、
上記地図データ記憶手段に記憶された上記地図データと、上記指定地点設定ステップにて設定された上記指定地点と、の距離を算出し、当該距離に基づいて上記地図データを上記地図データ記憶手段から削除する削除ステップと、
を含むことを特徴とする、保存データ削除方法。
【発明の詳細な説明】
【技術分野】
【０００１】
本発明は、ナビゲーションシステム、ナビゲーション装置、および、保存データ削除方法に関する。
【背景技術】
【０００２】
従来から、ファイルサイズが一定量に達したキャッシュをデータのダウンロード順やアクセス回数や利用日時等に従って削除する技術が開示されている。
【０００３】
例えば、特許文献１に記載のナビゲーション装置においては、アクセス回数、情報に係る地図上での車両の走行回数、利用者により設定された情報の必要度、および、情報に係る地図上への目的地の設定等に基づいて設定された削除優先度を用いて、地図情報記憶部に記憶された地図や道路やその案内等に係る報知用情報を削除することで、限られた記憶領域を活用する技術が開示されている。
【０００４】
また、特許文献２に記載のナビゲーション装置においては、地図データ毎の使用頻度や最新使用日時の情報に基づいて、記憶ユニット内の地図データを消去して空き容量を作る技術が開示されている。
【０００５】
また、一般的なナビゲーション装置においては、取得した情報を記憶領域に格納しておき、一定量以上の情報が蓄積された場合に、最先に格納された情報から順に削除または新しい情報に上書き保存する技術が用いられている。
【先行技術文献】
【特許文献】
【０００６】
【特許文献１】特開２００７−１６３１６６号公報
【特許文献２】特開２００３−３０２２２５号公報
【発明の概要】
【発明が解決しようとする課題】
【０００７】
しかしながら、従来（特許文献１〜２）のナビゲーション装置において、地図データへのアクセス回数や最新使用日時が古い順や記憶領域に格納された順等に基づいて地図データの削除を行った場合、家の近く等の利用者にとって必要不可欠な領域において、虫食い状にキャッシュデータが削除されてしまうことがあり、元々ナビゲーション装置が保持していた地図と、最新版をキャッシュにダウンロードした地図が混在し、境目で道路がつながらなくなる等の問題点を有していた。
【０００８】
また、従来のナビゲーション装置においては、家の近所等の比較的よく利用者がアクセスするエリアの地図データが利用可能な状態である場合、当該地図データを削除することなく保持しておくことが求められるが、キャッシュした地図データのファイルサイズが一定量に達した際に、頻繁に表示する可能性のある地図の地図データも削除されてしまうという問題点を有していた。
【０００９】
本発明は、上記問題点に鑑みてなされたもので、ダウンロードしてキャッシュしておいた地図データについて、ファイルサイズが一定量に達し、削除する必要が生じた際に、予め登録しておいた自宅、勤務先、駐車場等の地点からの距離が最も遠い地図データから削除することができるナビゲーションシステム、ナビゲーション装置、および、保存データ削除方法を提供することを目的とする。
【課題を解決するための手段】
【００１０】
このような目的を達成するため、本発明のナビゲーションシステムは、少なくとも地図データを送信するナビゲーションサーバ、および、制御部と記憶部とを少なくとも備えたナビゲーション装置、を通信可能に接続したナビゲーションシステムであって、上記ナビゲーション装置の上記記憶部は、上記ナビゲーションサーバから受信した上記地図データを記憶する地図データ記憶手段、を備え、上記ナビゲーション装置の上記制御部は、指定地点を設定する指定地点設定手段と、上記地図データ記憶手段に記憶された上記地図データと、上記指定地点設定手段により設定された上記指定地点と、の距離を算出し、当該距離に基づいて上記地図データを上記地図データ記憶手段から削除する削除手段と、を備えたことを特徴とする。
【００１１】
また、本発明のナビゲーションシステムは、上記記載のナビゲーションシステムにおいて、上記ナビゲーション装置の上記地図データ記憶手段は、更に、上記地図データ毎の格納履歴を記憶し、上記ナビゲーション装置の上記削除手段は、上記地図データ記憶手段に記憶された上記格納履歴を参照して所定期間に上記地図データ記憶手段に格納された上記地図データを選択し、当該選択された上記地図データと、上記指定地点と、の距離を算出し、当該距離に基づいて上記地図データを上記地図データ記憶手段から削除することを特徴とする。
【００１２】
また、本発明のナビゲーションシステムは、上記記載のナビゲーションシステムにおいて、上記ナビゲーション装置の上記削除手段は、上記距離が最長となる上記地図データを上記地図データ記憶手段から削除することを特徴とする。
【００１３】
また、本発明のナビゲーションシステムは、上記記載のナビゲーションシステムにおいて、上記指定地点は、利用者の自宅、勤務先、または、駐車場を示す地点であることを特徴とする。
【００１４】
また、本発明のナビゲーション装置は、少なくとも地図データを送信するナビゲーションサーバに通信可能に接続された、制御部と記憶部とを少なくとも備えたナビゲーション装置であって、上記記憶部は、上記ナビゲーションサーバから受信した上記地図データを記憶する地図データ記憶手段、を備え、上記制御部は、指定地点を設定する指定地点設定手段と、上記地図データ記憶手段に記憶された上記地図データと、上記指定地点設定手段により設定された上記指定地点と、の距離を算出し、当該距離に基づいて上記地図データを上記地図データ記憶手段から削除する削除手段と、を備えたことを特徴とする。
【００１５】
また、本発明の保存データ削除方法は、少なくとも地図データを送信するナビゲーションサーバ、および、制御部と記憶部とを少なくとも備えたナビゲーション装置、を通信可能に接続したナビゲーションシステムにおいて実行される保存データ削除方法であって、上記ナビゲーション装置の上記記憶部は、上記ナビゲーションサーバから受信した上記地図データを記憶する地図データ記憶手段、を備え、上記ナビゲーション装置の上記制御部において実行される、指定地点を設定する指定地点設定ステップと、上記ナビゲーション装置の上記制御部において実行される、上記地図データ記憶手段に記憶された上記地図データと、上記指定地点設定ステップにて設定された上記指定地点と、の距離を算出し、当該距離に基づいて上記地図データを上記地図データ記憶手段から削除する削除ステップと、を含むことを特徴とする。
【００１６】
また、本発明の保存データ削除方法は、少なくとも地図データを送信するナビゲーションサーバに通信可能に接続された、制御部と記憶部とを少なくとも備えたナビゲーション装置において実行される保存データ削除方法であって、上記記憶部は、上記ナビゲーションサーバから受信した上記地図データを記憶する地図データ記憶手段、を備え、上記制御部において実行される、指定地点を設定する指定地点設定ステップと、上記地図データ記憶手段に記憶された上記地図データと、上記指定地点設定ステップにて設定された上記指定地点と、の距離を算出し、当該距離に基づいて上記地図データを上記地図データ記憶手段から削除する削除ステップと、を含むことを特徴とする。
【発明の効果】
【００１７】
この発明によれば、指定地点を設定し、記憶部に記憶された地図データと指定地点との距離を算出し、当該距離に基づいて地図データを記憶部から削除することができる。これにより、本発明は、ファイルサイズが一定量に達して削除する必要が生じた地図データについて、予め登録しておいた地点からの距離に応じた順番で削除することができるという効果を奏する。特に、本発明は、ローカル（ナビゲーション装置）側に大容量のストレージやメモリを持たないナビゲーション装置に適用した場合、使用頻度の高い登録された指定地点の周辺付近等の地図データをローカル（ナビゲーション装置）側のキャッシュメモリ等に保持できるため、例えば、ナビゲーション装置が通信圏外にある際等でナビゲーションサーバと通信できず地図データをダウンロードできない場合等でもスムーズな経路案内や画面表示等を行うことができるという効果を奏する。
【００１８】
また、本発明によれば、記憶部に記憶された格納履歴を参照して所定期間に記憶部に格納された地図データを選択し、当該選択された地図データと、指定地点と、の距離を算出し、当該距離に基づいて地図データを記憶部から削除することができる。これにより、本発明は、指定地点から遠い地点の地図データであるというだけでダウンロード直後に削除されてしまうことを回避することができるため、ダウンロードしたばかりの近日中に利用予定がある地図データ等が削除されないようにすることができるという効果を奏する。
【００１９】
また、本発明によれば、距離が最長となる地図データを記憶部から削除することができる。これにより、本発明は、比較的使用頻度の高い自宅等の設定地点周辺の地図データのキャッシュメモリ等を広範囲で消さずに済むため、当該地図データの使用する際にダウンロードの繰り返しをせずにすみ、通信頻度および通信料を抑えることができるという効果を奏する。
【００２０】
また、本発明によれば、指定地点は、利用者の自宅、勤務先、または、駐車場を示す地点とすることができる。これにより、本発明は、利用者の使用頻度の高いこれらの地点からの距離に応じて地図データをキャッシュメモリ等に保存しておくことができるという効果を奏する。
【００２１】
なお、上記において、本発明のナビゲーションシステムを一例に効果の説明をしたが、ナビゲーション装置、および、保存データ削除方法においても同様の効果を奏する。
【図面の簡単な説明】
【００２２】
【図１】図１は、本実施形態におけるナビゲーションシステムの構成の一例を示すブロック図である。
【図２】図２は、本実施形態におけるナビゲーションシステムの処理の一例を示すフローチャートである。
【図３】図３は、本実施形態における地図データ削除処理の一例を示すフローチャートである。
【図４】図４は、本実施形態におけるナビゲーション装置の地図データファイルに格納された地図データの一例を示す概念図である。
【図５】図５は、本実施形態におけるナビゲーション装置の地図データファイルに格納された地図データの一例を示す概念図である。
【図６】図６は、本実施形態におけるナビゲーション装置の地図データファイルに格納された地図データの一例を示す概念図である。
【発明を実施するための形態】
【００２３】
以下に、本発明にかかるナビゲーションシステム、ナビゲーション装置、ナビゲーションサーバ、および、保存データ削除方法並びにプログラムの実施の形態を図面に基づいて詳細に説明する。なお、この実施の形態によりこの発明が限定されるものではない。
【００２４】
本発明の実施形態について、図１から図６を参照して以下に説明する。
【００２５】
［ナビゲーションシステムの構成］
まず、本実施形態におけるナビゲーションシステムの構成の一例について、図１を参照して以下に説明する。ここで、図１は、本実施形態におけるナビゲーションシステムの構成の一例を示すブロック図であり、該構成のうち本発明に関係する部分のみを概念的に示している。
【００２６】
図１に示すように、本発明のナビゲーションシステムは、概略的に、制御部２０２と記憶部２０６とを少なくとも備えたナビゲーションサーバ２００、および、位置取得部１１２と出力部（表示部１１４および音声出力部１１８）と入力部１１６と制御部１０２と記憶部１０６とを少なくとも備えたナビゲーション装置１００、を通信可能に接続して構成される。通信には、一例として、ネットワーク３００を介した有線・無線通信等の遠隔通信等を含む。また、これらナビゲーションシステムの各部は任意の通信路を介して通信可能に接続されている。
【００２７】
［ナビゲーションサーバ２００の構成］
ここで、図１において、ナビゲーションサーバ２００は、記憶部２０６に記憶された地図データをナビゲーション装置１００へ送信する等の機能を有する。ナビゲーションサーバ２００は、通信制御インターフェース部２０４を介してネットワーク３００を経由し、ナビゲーション装置１００と相互に通信可能に接続されており、制御部２０２と記憶部２０６とを備えて構成される。制御部２０２は、各種処理を行う制御手段であり、経路探索等を行う。通信制御インターフェース部２０４は、通信回線や電話回線等に接続されるアンテナやルータ等の通信装置（図示せず）に接続されるインターフェースであり、ナビゲーションサーバ２００とネットワーク３００との間における通信制御を行う機能を有する。すなわち、通信制御インターフェース部２０４は、ナビゲーション装置１００等と通信回線を介してデータを通信する機能を有している。記憶部２０６は、固定ディスク装置等のストレージ手段であり、各種のデータベースやテーブル（道路ネットワークデータベース２０６ａ、地図データベース２０６ｂ、経路探索情報データベース２０６ｃ、案内データベース２０６ｄ等）を格納する。
【００２８】
これら記憶部２０６の各構成要素のうち、道路ネットワークデータベース２０６ａは、道路ネットワークデータを記憶する道路ネットワークデータ記憶手段である。ここで、道路ネットワークデータベース２０６ａに記憶される道路ネットワークデータは、道路網を規定するネットワークデータであり、例えば、交差点等の道路網表現上の結節点であるノードのノードデータと、ノード間の道路区間であるリンクのリンクデータとの組み合わせによって表現されるネットワークデータである。また、ノードデータには、ノード番号、緯度経度等の位置座標、ノード種別、接続するリンク本数、接続ノード番号、および、交差点名称等を含んでいてもよい。また、リンクデータには、リンク番号、接続する道路の種別、国道や県道や市道等の路線番号、重用する路線情報、リンクの存在する行政区域の属性情報、リンク長、道路供用状況、異常気象時通行規制区間、車重制限、車両高さ制限、幅員、道路幅員区分、車線数、制限速度など交通規制、高架やトンネルや橋等のリンク内属性、および、名称等を含んでいてもよい。これら道路ネットワークデータは、道路ネットワークデータベース２０６ａに予め記憶されており、ナビゲーションサーバ２００の制御部２０２は、定期的にネットワーク３００を介して最新のデータをダウンロードして道路ネットワークデータベース２０６ａに記憶された道路ネットワークデータをアップデートしてもよい。
【００２９】
また、地図データベース２０６ｂは、地図の地図データを記憶する地図データ記憶手段である。ここで、地図データベース２０６ｂに記憶される地図データは、本発明において、例えば、縮尺に従ってメッシュ化された地図データ（例えば、第１〜４次地域区画メッシュデータ、１００ｍメッシュデータ等）等の屋外地図データであってもよい。また、地図データベース２０６ｂは、全国および各地方の道路地図や路線図等の屋外地図データを記憶してもよい。また、地図データベース２０６ｂは、例えば、高さ情報を持つ建築物（例えば、立体駐車場等）に関するフロア案内地図等の屋内地図データをさらに記憶してもよい。また、地図データベース２０６ｂに記憶される地図データは、地図上に表示される地物の形状についての形状データ、地図上に表示される注記の注記データ、および、地図上に表示される記号の記号データ等のデータを含んでいてもよい。また、地図データベース２０６ｂに記憶される地図データは、ラスタ形式、ベクタ形式等の地図描画用の画像データであってもよい。これら屋外地図データや屋内地図データは、地図データベース２０６ｂに予め記憶されており、ナビゲーションサーバ２００の制御部２０２は、定期的にネットワーク３００を介して最新のデータをダウンロードして地図データベース２０６ｂに記憶された屋外地図データおよび屋内地図データをアップデートしてもよい。
【００３０】
また、経路探索情報データベース２０６ｃは、制御部２０２が、経路探索条件を満たす案内経路を作成する際に用いる、交通規制データと交通機関の時刻表データと利用料金データとを含む経路探索情報を記憶する経路探索情報記憶手段である。ここで、経路探索情報データベース２０６ｃに記憶される交通規制データは、各種の交通規制を定義するデータであり、例えば、道路の損壊や道路工事等による車両通行止、交通の安全を確保するために設置されるコミュニティ・ゾーン等による一般車の進入禁止、私有地への接続路であることによる一般車の進入禁止等の情報などを含んでいてもよい。また、経路探索情報データベース２０６ｃに記憶される時刻表データは、例えば、電車、飛行機、バス、市電、ロープウェイ、モノレール、ケーブルカー、船等の各交通機関の時刻表を表す情報等であってもよい。また、経路探索情報データベース２０６ｃに記憶される利用料金データは、例えば、電車、飛行機、バス、市電、ロープウェイ、モノレール、ケーブルカー、船等の各交通機関を利用した場合に生じる利用料金や、自動車、オートバイ等で移動する場合に消費する燃料料金等を表す情報等であり、制御部２０２が交通費を計算する際に用いてもよい。また、経路探索情報データベース２０６ｃは、自動車、オートバイ、自転車、徒歩等で移動する場合の経路作成に用いる地図上に存在する施設等の緯度経度情報などの位置情報等を記憶してもよい。これら交通規制データ、時刻表データ、および、利用料金データは、経路探索情報データベース２０６ｃに予め記憶されており、ナビゲーションサーバ２００の制御部２０２は、定期的にネットワーク３００を介して最新のデータをダウンロードして経路探索情報データベース２０６ｃに記憶された経路探索情報をアップデートしてもよい。
【００３１】
また、案内データベース２０６ｄは、案内経路上において出力される案内データ（音声案内データや表示案内データ等）を記憶する案内データ記憶手段である。ここで、案内データベース２０６ｄは、案内経路上の分岐点等における進行方向に対応付けられた「次の交差点を左に曲がります」や、現在位置が目的地に近づいた場合に対応付けられた「まもなく目的地周辺です」等の音声案内データを記憶しており、この音声案内データは、後述のようにナビゲーション装置１００の制御部１０２が音声案内を実行する際に用いられる。また、案内データベース２０６ｄは、案内経路上の分岐点等における進行方向に対応付けられたターンバイターン（ＴＢＴ）や、現在位置が選択施設に近づいた旨の案内等の表示案内データを記憶しており、この表示案内データは、後述のようにナビゲーション装置１００の制御部１０２が表示案内を実行する際に用いられる。ここで、ＴＢＴとは、右左折等の誘導を画面に表示する矢印ナビゲーションである。
【００３２】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、経路探索条件受信部２０２ａ、経路探索部２０２ｂ、および、地図データ送信部２０２ｃを備えて構成される。
【００３３】
このうち、経路探索条件受信部２０２ａは、ナビゲーション装置１００から送信される少なくとも出発地と目的地とを含む経路探索条件を受信する経路探索条件受信手段である。ここで、経路探索条件には、経由地等を含んでいてもよい。
【００３４】
また、経路探索部２０２ｂは、少なくとも出発地と目的地とを含む経路探索条件を満たす出発地から目的地までの案内経路を、道路ネットワークデータベース２０６ａに記憶された道路ネットワークデータを用いて探索し、案内経路データを生成する経路探索手段である。ここで、経路探索部２０２ｂは、更に、少なくとも出発地と目的地とを含む経路探索条件を満たす出発地から目的地までの案内経路を経路探索情報データベース２０６ｃに記憶された経路探索情報を用いて探索してもよい。また、経路探索条件に経由地が更に含まれている場合、経路探索部２０２ｂは、経由地を経由した案内経路を探索してもよい。
【００３５】
また、地図データ送信部２０２ｃは、地図データベース２０６ｂに記憶された地図データをナビゲーション装置１００へ送信する地図データ送信手段である。ここで、地図データは、案内経路を含む地図の地図データであってもよい。また、地図データ送信部２０２ｃは、更に、経路探索部２０２ｂにより生成された案内経路データを送信してもよい。また、地図データ送信部２０２ｃは、更に、案内データベース２０６ｄに記憶された案内経路上において出力される案内データを送信してもよい。
【００３６】
［ナビゲーション装置１００の構成］
また、図１において、ナビゲーション装置１００は、指定地点を設定し、記憶部１０６に記憶された地図データと、指定地点と、の距離を算出し、当該距離に基づいて地図データを記憶部１０６から削除する等の機能を有する。ナビゲーション装置１００は、例えば、一般に市販されるデスクトップ型またはノート型のパーソナルコンピュータ等の情報処理装置や、携帯電話やＰＨＳやＰＤＡ等の携帯ナビゲーション装置等である。本実施形態において、ナビゲーション装置１００は、カーナビゲーションを行う車載の情報処理端末であってもよい。ここで、ナビゲーション装置１００は、例えば、車両から電力の供給を受けられ、ダッシュボード等の車両本体にアタッチメント等で着脱可能に固定され、装置本体（ローカル）に大容量ストレージを持たず、車両から信号（例えば、車速パルス、燃料消費等）を取得することもでき、通信モジュールを内蔵しており、通信圏内でナビゲーションサーバ２００等とネットワーク３００を介して通信可能であり、地図データ等のデータをナビゲーションサーバ２００からダウンロードして更新することも可能な装置であってもよい。また、ナビゲーション装置１００は、リアルタイムに現在位置情報の取得が行えるよう、ＧＰＳ機能やＩＭＥＳ機能等を有する位置取得部１１２を備えていてもよい。また、ナビゲーション装置１００は、少なくとも表示部１１４と音声出力部１１８とを含む出力部を備えている。ここで、表示部１１４は、ナビゲーションサーバ２００から受信した案内経路データ等の表示画面を表示する表示手段（例えば、液晶や有機ＥＬ等から構成されるディスプレイやモニタ等）である。また、音声出力部１１８は、ナビゲーションサーバ２００から受信した音声案内データ等を音声として出力する音声出力手段（例えば、スピーカ等）である。また、ナビゲーション装置１００は、経路探索条件の入力等を行う入力部１１６（例えば、キー入力部、タッチパネル、キーボード、マイク等）を備えていてもよい。また、入出力制御インターフェース部１０８は、位置取得部１１２、表示部１１４、入力部１１６、および、音声出力部１１８等の制御を行う。
【００３７】
ここで、位置取得部１１２は、例えば、位置発信装置５００から発信される位置情報信号を受信する位置取得手段であってもよい。ここで、位置発信装置５００は、位置情報信号（ＧＰＳ信号）を発信するＧＰＳ装置であってもよく、また、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。なお、ＩＭＥＳ技術は測位衛星システムである準天頂衛星の枠組みから発案されたシステムである。また、位置発信装置５００は、屋外で受信したＧＰＳ信号を屋内で発信するＧＰＳリピータであってもよいまた、位置発信装置５００は、建物（例えば、立体駐車場等）内の各フロアや地下構造物（例えば、トンネル、地下駐車場等）の各所に任意に設置される小型発信装置であってもよい。なお、この小型発信装置には、設置場所に応じた自己位置情報（位置ＩＤ等）が割り振られている。そして、ナビゲーション装置１００が通信可能範囲に入ると、ナビゲーション装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。本実施形態において、制御部１０２は、位置取得部１１２にて取得された位置情報信号から、緯度、経度、および、高さ情報を含む位置情報を算出してもよい。また、位置発信装置５００は、無線ＬＡＮのアクセスポイントであってもよい。また、位置取得部１１２は、無線ＬＡＮ信号等を受信して、アクセスポイントの識別情報を取得してもよい。本実施形態において、制御部１０２は、位置取得部１１２にて取得したアクセスポイント固有の識別情報からアクセスポイントの位置を特定して位置情報を取得してもよい。
【００３８】
また、位置取得部１１２は、例えば、方位センサにて検出したナビゲーション装置１００の進行方向等の方位情報、距離センサにて検出した距離情報、および、地図データに基づいてナビゲーション装置１００の利用者の現在位置を示す位置情報を取得してもよい。ここで、方位センサには、ナビゲーション装置１００の絶対走行方位を検出する地磁気センサおよびナビゲーション装置１００の相対走行方位を検出する光ジャイロが使用されてもよい。また、方位センサは、地磁気センサと加速度センサを組み合わせることで方位や傾きに関する情報を取得できる電子コンパスであってもよい。また、距離センサは、ナビゲーション装置１００が車載の情報処理端末である場合、車両の回転に応じたパルスを発生させ、車輪の回転数により走行距離を検出してもよい。また、位置取得部１１２は、ナビゲーション装置１００が車載の情報処理端末である場合、各車両に搭載された通信装置の車車間通信から自車位置を示す位置情報を取得してもよい。
【００３９】
また、通信制御インターフェース部１０４は、通信回線や電話回線等に接続されるアンテナやルータ等の通信装置（図示せず）に接続されるインターフェースであり、ナビゲーション装置１００とネットワーク３００との間における通信制御を行う機能を有する。すなわち、通信制御インターフェース部１０４は、ナビゲーションサーバ２００等と通信回線を介してデータを通信する機能を有している。また、ネットワーク３００は、ナビゲーション装置１００とナビゲーションサーバ２００等の外部機器とを相互に接続する機能を有し、例えば、インターネット、電話回線網（携帯端末回線網、一般電話回線網を含む。）、イントラネット、電力線通信（ＰＬＣ）等であってもよい。
【００４０】
また、記憶部１０６は、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のファイル（案内経路データファイル１０６ａ、地図データファイル１０６ｂ、案内データファイル１０６ｃ等）を格納する。ここで、記憶部１０６は、各種のファイル等を一時的に記憶するものであってもよい。また、記憶部１０６は、ＨＤやＳＳＤ等の固定ディスク装置等の大容量のストレージ手段を備えていてもよく、各種のデータベースやファイル（制御部１０２により経路探索等が行われる場合に用いられる道路ネットワークデータや経路探索情報、または、経路案内に用いられる案内データ等を格納したデータベース等）を格納してもよい。
【００４１】
このうち、案内経路データファイル１０６ａは、制御部１０２により受信された案内経路データを記憶する案内経路データ記憶手段である。
【００４２】
また、地図データファイル１０６ｂは、制御部１０２によりナビゲーションサーバ２００から受信された地図データを記憶する地図データ記憶手段である。ここで、地図データファイル１０６ｂは、更に、地図データ毎の格納履歴を記憶してもよい。
【００４３】
また、案内データファイル１０６ｃは、制御部１０２により受信された案内データを記憶する案内データ記憶手段である。
【００４４】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、指定地点設定部１０２ａ、現在位置情報取得部１０２ｂ、経路探索条件送信部１０２ｃ、地図データ受信部１０２ｄ、判定部１０２ｅ、削除部１０２ｆ、および、経路案内部１０２ｇを備えて構成される。
【００４５】
このうち、指定地点設定部１０２ａは、指定地点を設定する指定地点設定手段である。ここで、「指定地点」とは、利用者により任意に設定可能な一つ又は複数の地点であり、例えば、利用者の自宅、勤務先、または、駐車場を示す地点であってもよい。また、指定地点設定部１０２ａは、入力部１１６を介して指定された地点を指定地点として設定してもよい。具体的には、指定地点設定部１０２ａは、入力部１１６を介して利用者に表示部１１４に表示された地図データの表示画面上で指定（例えば、タッチパネル式の表示部１１４での指定操作等）された座標に対応する地点を指定地点として設定してもよい。また、指定地点は、記憶部１０６に予め登録された任意の地点であってもよい。
【００４６】
また、現在位置情報取得部１０２ｂは、ナビゲーション装置１００の利用者の現在位置情報を取得する現在位置情報取得手段である。ここで、現在位置情報取得部１０２ｂは、ナビゲーション装置１００の利用者の現在位置情報を所定周期ごと（例えば、１秒ごと等）に取得してもよい。また、現在位置情報取得部１０２ｂは、位置取得部１１２にて位置発信装置５００から受信した位置情報信号から算出した位置情報、および／または、位置取得部１１２の方位センサにて検出したナビゲーション装置１００の進行方向等の方位情報を含むナビゲーション装置１００の利用者の現在位置情報を取得してもよい。また、現在位置情報取得部１０２ｂは、利用者により入力部１１６を介して入力された現在位置、および／または、進行方向等についての情報を現在位置情報として取得してもよい。また、現在位置情報取得部１０２ｂは、利用者により入力部１１６を介して入力された現在位置についての位置座標等をナビゲーション装置１００の利用者の現在位置情報として取得してもよい。ここで、利用者により入力部１１６を介して入力された現在位置は、利用者が現実に存在する位置であってもよく、利用者により任意に選択された仮想の現在位置（一例として、東京にいる利用者により選択された大阪の駅や空港等の任意の地点）であってもよい。具体的には、現在位置情報取得部１０２ｂは、入力部１１６を介して利用者に表示部１１４に表示された地図データの表示画面上で指定（例えば、タッチパネル式の表示部１１４での指定操作等）させた座標、および、方位情報をナビゲーション装置１００の利用者の現在位置情報として取得してもよい。
【００４７】
また、経路探索条件送信部１０２ｃは、少なくとも出発地と目的地とを含む経路探索条件をナビゲーションサーバ２００へ送信する経路探索条件送信手段である。ここで、出発地は、現在位置情報取得部１０２ｂにより取得される現在位置情報に基づくナビゲーション装置１００の利用者の現在位置であってもよい。
【００４８】
また、地図データ受信部１０２ｄは、ナビゲーションサーバ２００から送信される地図データを受信する地図データ受信手段である。ここで、地図データは、案内経路を含む地図の地図データであってもよい。また、地図データ受信部１０２ｄは、更に、ナビゲーションサーバ２００から送信される案内経路データを受信してもよい。また、地図データ受信部１０２ｄは、更に、ナビゲーションサーバ２００から送信される案内経路上において出力される案内データを受信してもよい。また、地図データ受信部１０２ｄは、更に、受信した案内経路データを案内経路データファイル１０６ａに格納してもよい。また、地図データ受信部１０２ｄは、更に、受信した地図データを地図データファイル１０６ｂに格納してもよい。また、地図データ受信部１０２ｄは、更に、受信した案内データを案内データファイル１０６ｃに格納してもよい。また、地図データ受信部１０２ｄは、受信した地図データと同じ領域の地図データが地図データファイル１０６ｂに記憶されている場合、受信した地図データを既に地図データファイル１０６ｂに記憶されている地図データに上書きして格納してもよい。
【００４９】
また、判定部１０２ｅは、地図データファイル１０６ｂに所定の大きさの記憶可能領域があるか否かを判定する判定手段である。
【００５０】
また、削除部１０２ｆは、地図データファイル１０６ｂに記憶された地図データと、指定地点設定部１０２ａにより設定された指定地点と、の距離を算出し、当該距離に基づいて地図データを地図データファイル１０６ｂから削除する削除手段である。ここで、地図データファイル１０６ｂに記憶された格納履歴を参照して所定期間に地図データ記憶手段に格納された地図データを選択し、当該選択された地図データと、指定地点設定部１０２ａにより設定された指定地点と、の距離を算出し、当該距離に基づいて地図データを地図データファイル１０６ｂから削除してもよい。ここで、所定期間とは、１日、３日、１週間、１ヶ月より前の期間等であってもよい。また、削除部１０２ｆは、地図データファイル１０６ｂに記憶された地図データと、指定地点設定部１０２ａにより設定された指定地点と、の距離を算出し、距離が最長となる地図データを地図データファイル１０６ｂから削除してもよい。
【００５１】
また、経路案内部１０２ｇは、地図データ受信部１０２ｄにより受信された案内経路データと現在位置情報取得部１０２ｂにより取得された現在位置情報とに基づく経路案内情報を出力部を介して出力させることにより、経路案内を実行する経路案内手段である。ここで、経路案内部１０２ｇは、地図データ受信部１０２ｄにより受信され、案内経路データファイル１０６ａに記憶された案内経路データに、現在位置情報取得部１０２ｂにより取得されたナビゲーション装置１００の利用者の現在位置情報を重畳した表示画面からなる経路案内情報を表示部１１４に表示させることにより、経路案内を実行してもよい。また、経路案内部１０２ｇは、地図データ受信部１０２ｄにより受信され、地図データファイル１０６ｂに記憶された案内経路を含む地図の地図データ上に、地図データ受信部１０２ｄにより受信され、案内経路データファイル１０６ａに記憶された案内経路データ、および／または、現在位置情報取得部１０２ｂにより取得されたナビゲーション装置１００の利用者の現在位置情報を重畳した表示画面からなる経路案内情報を表示部１１４に表示させることにより、経路案内を実行してもよい。また、経路案内部１０２ｇは、地図データ受信部１０２ｄにより受信され、案内データファイル１０６ｃに記憶された案内データを出力部を介して出力させてもよい。具体的に、経路案内部１０２ｇは、地図データ受信部１０２ｄにより受信され、案内データファイル１０６ｃに記憶された案内データに含まれる案内経路上の分岐点における進行方向に対応付けられた音声案内データを、音声出力部１１８を介して出力させることにより、経路案内を実行してもよく、案内データに含まれるＴＢＴ等の表示案内データの表示画面を表示部１１４に表示させることにより、経路案内を実行してもよい。
【００５２】
以上で、本実施形態におけるナビゲーションシステムの構成の一例の説明を終える。
【００５３】
［ナビゲーションシステムの処理］
次に、このように構成された本実施形態におけるナビゲーションシステムの処理の一例について、以下に図２から図６を参照して詳細に説明する。図２は、本実施形態におけるナビゲーションシステムの処理の一例を示すフローチャートである。
【００５４】
図２に示すように、まず、ナビゲーション装置１００の指定地点設定部１０２ａは、利用者により入力部１１６を介して指定された利用者の自宅等の地点を指定地点として設定する（ステップＳＡ−１）。
【００５５】
そして、ナビゲーション装置１００の経路探索条件送信部１０２ｃは、利用者により入力部１１６を介して入力された少なくとも出発地と目的地とを含む経路探索条件をナビゲーションサーバ２００へ送信する（ステップＳＡ−２）。ここで、出発地は、現在位置情報取得部１０２ｂにより取得される現在位置情報に基づくナビゲーション装置１００の利用者の現在位置であってもよい。また、経路探索条件には、経由地等を含んでいてもよい。
【００５６】
そして、ナビゲーションサーバ２００の経路探索条件受信部２０２ａは、ナビゲーション装置１００から送信される少なくとも出発地と目的地とを含む経路探索条件を受信する（ステップＳＡ−３）。
【００５７】
そして、ナビゲーションサーバ２００の経路探索部２０２ｂは、経路探索条件受信部２０２ａにより受信された少なくとも出発地と目的地とを含む経路探索条件を満たす出発地から目的地までの案内経路を、道路ネットワークデータベース２０６ａに記憶された道路ネットワークデータ、および、経路探索情報データベース２０６ｃに記憶された経路探索情報を用いて探索し、案内経路データを生成する（ステップＳＡ−４）。ここで、経路探索条件に経由地が更に含まれている場合、経路探索部２０２ｂは、経由地を経由した案内経路を探索してもよい。
【００５８】
そして、ナビゲーションサーバ２００の地図データ送信部２０２ｃは、経路探索部２０２ｂにより生成された案内経路データ、地図データベース２０６ｂに記憶された案内経路を含む地図の地図データ、および、案内データベース２０６ｄに記憶された案内経路上において出力される案内データを送信する（ステップＳＡ−５）。
【００５９】
そして、ナビゲーション装置１００の地図データ受信部１０２ｄは、ナビゲーションサーバ２００から送信される案内経路データを受信して案内経路データファイル１０６ａに格納、案内経路を含む地図の地図データを受信、および、案内経路上において出力される案内データを受信して案内データファイル１０６ｃに格納する（ステップＳＡ−６）。ここで、地図データ受信部１０２ｄは、案内経路データファイル１０６ａまたは案内データファイル１０６ｃに所定の大きさの記憶可能領域が無い場合、受信した案内経路データまたは案内データを既に記憶されているデータに上書きして格納してもよい。
【００６０】
そして、ナビゲーション装置１００の判定部１０２ｅは、地図データファイル１０６ｂに所定の大きさの記憶可能領域があるか否かを判定する（ステップＳＡ−７）。ここで、所定の大きさとは、地図データ受信部１０２ｄにより受信された地図データのデータサイズであってもよい。
【００６１】
そして、ナビゲーション装置１００の削除部１０２ｆは、ステップＳＡ−７にて判定部１０２ｅにより地図データファイル１０６ｂに所定の大きさの記憶可能領域がないと判定された場合（ステップＳＡ−７：Ｎｏ）、地図データファイル１０６ｂに記憶された地図データと、指定地点設定部１０２ａにより設定された指定地点と、の距離を算出し、距離が最長となる設定地点を含む地図の地図データを地図データファイル１０６ｂから削除する（ステップＳＡ−８）。
【００６２】
ここで、図３から図６を参照して、本実施形態における地図データ削除処理の詳細ついて説明する。図３は、本実施形態における地図データ削除処理の一例を示すフローチャートである。図４から図６は、本実施形態におけるナビゲーション装置１００の地図データファイル１０６ｂに格納された地図データの一例を示す概念図である。
【００６３】
図３に示すように、まず、ナビゲーション装置１００の削除部１０２ｆは、地図データファイル１０６ｂに記憶された地図データと指定地点設定部１０２ａにより設定された指定地点との距離を算出するために、当該地図データに基づく地図上の所定の地点を設定地点として設定する（ステップＳＢ−１）。ここで、設定地点は、一例として、指定地点から最短距離または最長距離となる当該地図データに基づく地図上の地点であってもよく、当該地図上の中心点または重心点となる地点であってもよい。ここで、ナビゲーション装置１００の削除部１０２ｆは、利用者による入力部１１６を介した選択等により、予め設定地点を設定しておいてもよい。
【００６４】
そして、ナビゲーション装置１００の削除部１０２ｆは、地図データファイル１０６ｂに記憶された地図データに基づく地図上の指定地点設定部１０２ａにより設定された利用者の自宅や勤務先や駐車場等の指定地点から最短距離となる地点等である設定地点と、当該指定地点と、の距離を算出する（ステップＳＢ−２）。ここで、削除部１０２ｆは、地図データファイル１０６ｂに記憶された格納履歴を参照して現時点から１週間より前等の所定期間において地図データファイル１０６ｂに格納された地図データを選択し、当該選択された地図データに基づく地図上の指定地点設定部１０２ａにより設定された指定地点から最短距離となる地点等である設定地点と、当該指定地点との距離を算出してもよい。
【００６５】
具体的には、図４に示すように、メッシュデータ等である地図データ１から９が地図データファイル１０６ｂに格納され、指定地点（星印）が地図データ１上に設定されている場合、ナビゲーション装置１００の削除部１０２ｆは、図５に示すように、地図データファイル１０６ｂに記憶された地図データ１〜９上の指定地点（星印）から最短距離となる設定地点１〜９（丸数字１〜９）と、指定地点（星印）と、の距離（点線）を算出する。
【００６６】
再び図３に戻り、ナビゲーション装置１００の削除部１０２ｆは、ステップＳＢ−２にて算出した距離が最長となる設定地点の存在する地図の地図データを地図データファイル１０６ｂから削除する（ステップＳＢ−３）。
【００６７】
具体的には、図６に示すように、ナビゲーション装置１００の削除部１０２ｆは、地図データ１〜９のうち、指定地点（星印）からの距離が最長となる設定地点６を含む地図の地図データ６を地図データファイル１０６ｂから削除する。なお、複数の指定地点を設定した場合には、各指定地点からの距離を算出し、最長となる設定地点を含む地図の地図データ、または、各指定地点からの平均距離が最長となる設定地点を含む地図の地図データを削除してもよい。
【００６８】
再び図２に戻り、ナビゲーション装置１００の地図データ受信部１０２ｄは、ステップＳＡ−７にて判定部１０２ｅにより地図データファイル１０６ｂに所定の大きさの記憶可能領域があると判定された場合（ステップＳＡ−７：Ｙｅｓ）、または、ステップＳＡ−８にて削除部１０２ｆにより地図データが地図データファイル１０６ｂから削除された場合、受信した地図データを地図データファイル１０６ｂに格納する（ステップＳＡ−９）。ここで、地図データ受信部１０２ｄは、受信した地図データと同じ領域の地図データが地図データファイル１０６ｂ記憶されている場合、受信した地図データを既に地図データファイル１０６ｂに記憶されている地図データに上書きして格納してもよい。
【００６９】
そして、ナビゲーション装置１００の経路案内部１０２ｇは、地図データ受信部１０２ｄにより受信され、地図データファイル１０６ｂに記憶された案内経路を含む地図の地図データ上に、地図データ受信部１０２ｄにより受信され、案内経路データファイル１０６ａに記憶された案内経路データ、および、現在位置情報取得部１０２ｂにより所定周期ごと（例えば、１秒ごと等）に取得されるナビゲーション装置１００の利用者の現在位置情報を重畳した表示画面からなる経路案内情報を表示部１１４に表示させることにより、経路案内を実行する（ステップＳＡ−１０）。ここで、経路案内部１０２ｇは、地図データ受信部１０２ｄにより受信され、案内データファイル１０６ｃに記憶された案内データに含まれる案内経路上の分岐点における進行方向に対応付けられた音声案内データを、音声出力部１１８を介して出力させることにより、経路案内を実行してもよく、案内データに含まれるＴＢＴ等の表示案内データの表示画面を表示部１１４に表示させることにより、経路案内を実行してもよい。
【００７０】
以上で、本実施形態におけるナビゲーションシステムの処理の一例の説明を終える。
【００７１】
［他の実施の形態］
さて、これまで本発明の実施形態について説明したが、本発明は、上述した実施の形態以外にも、特許請求の範囲に記載した技術的思想の範囲内において種々の異なる実施の形態にて実施されてよいものである。
【００７２】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００７３】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００７４】
また、ナビゲーション装置１００、および、ナビゲーションサーバ２００に関して、図示の各構成要素は機能概念的なものであり、必ずしも物理的に図示の如く構成されていることを要しない。
【００７５】
例えば、ナビゲーション装置１００、および、ナビゲーションサーバ２００の各装置が備える処理機能、特に制御部１０２、および、制御部２０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じてナビゲーション装置１００、および、ナビゲーションサーバ２００に機械的に読み取られる。すなわち、ＲＯＭまたはＨＤ等の記憶部１０６および記憶部２０６等は、ＯＳとして協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７６】
また、このコンピュータプログラムは、ナビゲーション装置１００、および、ナビゲーションサーバ２００に対して任意のネットワーク３００を介して接続されたアプリケーションプログラムサーバに記憶されていてもよく、必要に応じてその全部または一部をダウンロードすることも可能である。
【００７７】
また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ、Ｂｌｕ−ｒａｙ  Ｄｉｓｃ等の任意の「可搬用の物理媒体」、あるいは、ＬＡＮ、ＷＡＮ、インターネットに代表されるネットワーク３００を介してプログラムを送信する場合の通信回線や搬送波のように、短期にプログラムを保持する「通信媒体」を含むものとする。
【００７８】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００７９】
記憶部１０６、および、記憶部２０６に格納される各種のデータベース等（案内経路データファイル１０６ａ、地図データファイル１０６ｂ、案内データファイル１０６ｃ、道路ネットワークデータベース２０６ａ、地図データベース２０６ｂ、経路探索情報データベース２０６ｃ、案内データベース２０６ｄ等）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【００８０】
また、ナビゲーション装置１００、および、ナビゲーションサーバ２００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【００８１】
更に、装置の分散・統合の具体的形態は図示するものに限られず、その全部または一部を、各種の付加等に応じて、または、機能負荷に応じて、任意の単位で機能的または物理的に分散・統合して構成することができる。
【産業上の利用可能性】
【００８２】
以上詳述したように、本発明によれば、ダウンロードしてキャッシュしておいた地図データについて、ファイルサイズが一定量に達し、削除する必要が生じた際に、予め登録しておいた自宅、勤務先、駐車場等の地点からの距離が最も遠い地図データから削除することができるナビゲーションシステム、ナビゲーション装置、および、保存データ削除方法を提供することができるので、ナビゲーションを支援する情報機器や情報処理分野などの様々な分野において極めて有用である。
【符号の説明】
【００８３】
１００  ナビゲーション装置
１０２  制御部
１０２ａ  指定地点設定部
１０２ｂ  現在位置情報取得部
１０２ｃ  経路探索条件送信部
１０２ｄ  地図データ受信部
１０２ｅ  判定部
１０２ｆ  削除部
１０２ｇ  経路案内部
１０４  通信制御インターフェース部
１０６  記憶部
１０６ａ  案内経路データファイル
１０６ｂ  地図データファイル
１０６ｃ  案内データファイル
１０８  入出力制御インターフェース部
１１２  位置取得部
１１４  表示部
１１６  入力部
１１８  音声出力部
２００  ナビゲーションサーバ
２０２  制御部
２０２ａ  経路探索条件受信部
２０２ｂ  経路探索部
２０２ｃ  地図データ送信部
２０４  通信制御インターフェース部
２０６  記憶部
２０６ａ  道路ネットワークデータベース
２０６ｂ  地図データベース
２０６ｃ  経路探索情報データベース
２０６ｄ  案内データベース
３００  ネットワーク
５００  位置発信装置
【図１】
2011085555.tif 000003
【図２】
2011085555.tif 000004
【図３】
2011085555.tif 000005
【図４】
2011085555.tif 000006
【図５】
2011085555.tif 000007
【図６】
2011085555.tif 000008